(57)【要約】【課題】放送コンテンツの字幕文字情報の中から、時事性の高いキーワードを表示することによって、その映像音声情報に対する視聴者の理解を補完させることができる放送受信装置及びプログラムを提供する。【解決手段】放送受信装置は、時事キーワードを予め蓄積する時事キーワード蓄積手段と、視聴者が視聴する視聴放送コンテンツに含まれる字幕文字情報から、複数の単語を抽出する視聴単語抽出手段と、視聴単語抽出手段によって抽出された複数の視聴単語が、キーワード蓄積手段に含まれるキーワードと一致するか否かを判別し、一致した視聴単語を重要キーワードとして出力する重要キーワード判別手段とを有する。キーワード蓄積手段に蓄積されるキーワードは、情報の信頼性があり且つ時事性のある時事キーワードであって、例えばニュース放送コンテンツから得られたものである。【選択図】図２
2010087658.tif 000002
【特許請求の範囲】
【請求項１】
映像音声情報及び字幕文字情報を含む放送コンテンツを受信する放送受信手段と、該映像音声情報を視聴者に対して再生表示する映像音声再生手段と、前記字幕文字情報を前記視聴者に対して表示する字幕文字表示手段とを有する放送受信再生装置において、
時事性のあるキーワードを、時事キーワードとして予め蓄積する時事キーワード蓄積手段と、
前記視聴者が視聴する視聴放送コンテンツに含まれる前記字幕文字情報から、複数の視聴単語を抽出する視聴単語抽出手段と、
前記視聴単語抽出手段によって抽出された複数の視聴単語が、前記キーワード蓄積手段に含まれる前記時事キーワードと一致するか否かを判別し、一致した視聴単語を重要キーワードとして出力する重要キーワード判別手段と
を有することを特徴とする放送受信装置。
【請求項２】
前記放送受信手段は、ニュース放送コンテンツを更に受信することができ、
前記ニュース放送コンテンツに含まれる字幕文字情報から、複数の前記時事キーワードを抽出し、該時事キーワードとその出現頻度及び出現日とを前記時事キーワード蓄積手段へ蓄積する時事キーワード抽出手段を更に有することを特徴とする請求項１に記載の放送受信装置。
【請求項３】
異なる前記ニュース放送コンテンツについて、前記時事キーワード抽出手段によって抽出される前記時事キーワードの出現頻度から、当該時事キーワードの信頼性を判断するニュースソース信頼性判別手段を更に有することを特徴とする請求項２に記載の放送受信装置。
【請求項４】
前記重要キーワード判別手段は、単語iの重要度Ｐ(i)について、最近一定期間内に発生した当該時事キーワードの出現頻度を正に重み付け、それ以外の過去の期間に発生した当該時事キーワードの出現頻度を負に重み付けることを特徴とする請求項２又は３に記載の放送受信装置。
【請求項５】
前記重要キーワード判別手段において、単語iの重要度Ｐ(i)が、以下の式によって算出される
ＩＤＦ(i)：過去に保存された重要キーワード候補を用いた単語iのＩＤＦ
(ＩＤＦ：Inverse Document Frequency)、
elapse：当該単語の過去出現日と今日との差分日、
period：抽出対象とする過去出現日と今日との差分日、
Ｎelapse：当該単語の過去出現日から経過日数に応じた重み付け、
freq(i)：その日のニュース放送コンテンツにおける単語iの出現回数、
Ｐ(i)＝ＩＤＦ(i)×Σperiodelapse=0(Ｎelapse×freq(i))
ことを特徴とする請求項２又は３に記載の放送受信装置。
【請求項６】
前記字幕文字表示手段は、前記重要キーワードを表示し、
前記映像音声再生手段における前記映像音声情報の再生に同期して、前記字幕文字表示手段における前記重要キーワードの表示が実行される
ことを特徴とする請求項１から５のいずれか１項に記載の放送受信装置。
【請求項７】
ＷＡＮインタフェース部を介して、広域通信ネットワークに接続する検索サーバへ前記重要キーワードをキーとして送信し、当該重要キーワードに基づく検索結果情報を取得するキーワード検索手段を更に有し、
前記字幕文字表示手段は、前記検索結果情報を更に表示する
ことを特徴とする請求項１から５のいずれか１項に記載の放送受信装置。
【請求項８】
受信した放送コンテンツを蓄積するコンテンツ蓄積手段を更に有し、
前記コンテンツ蓄積手段は、前記重要キーワード検索手段から出力された前記重要キーワードをキーとして、蓄積された放送コンテンツの字幕文字情報を検索し、該当する放送コンテンツを映像音声再生手段へ出力することを特徴とする請求項１から５のいずれか１項に記載の放送受信装置。
【請求項９】
前記映像音声再生手段及び前記字幕文字表示手段は、ＬＡＮインタフェース部を介して、ＬＡＮに接続する情報家電機器に対して、前記映像音声を再生し且つ前記重要キーワードを表示するように情報を送信することを特徴とする請求項１から８のいずれか１項に記載の放送受信装置。
【請求項１０】
前記放送受信装置は、前記視聴放送コンテンツを有線又は無線を介して受信するセットトップボックス、又は、チューナ内蔵型のレコーダ若しくはテレビであることを特徴とする請求項１から９のいずれか１項に記載の放送受信装置。
【請求項１１】
放送受信再生装置に搭載されたコンピュータを機能させるプログラムであって、映像音声情報及び字幕文字情報を含む放送コンテンツを受信する放送受信手段と、該映像音声情報を視聴者に対して再生表示する映像音声再生手段と、前記字幕文字情報を前記視聴者に対して表示する字幕文字表示手段としてコンピュータを機能させるプログラムにおいて、
時事性のあるキーワードを、時事キーワードとして予め蓄積する時事キーワード蓄積手段と、
前記視聴者が視聴する視聴放送コンテンツに含まれる前記字幕文字情報から、複数の視聴単語を抽出する視聴単語抽出手段と、
前記視聴単語抽出手段によって抽出された複数の視聴単語が、前記キーワード蓄積手段に含まれる前記時事キーワードと一致するか否かを判別し、一致した視聴単語を重要キーワードとして出力する重要キーワード判別手段と
してコンピュータを機能させることを特徴とする放送受信装置用のプログラム。
【発明の詳細な説明】
【技術分野】
【０００１】
本発明は、放送コンテンツを受信し且つ再生表示する放送受信装置及びプログラムに関する。
【背景技術】
【０００２】
近年、デジタル放送の普及に伴って、放送コンテンツには、放送番組としての映像音声情報だけでなく、視聴者のために様々な情報が含められている。特に、その映像音声情報に同期して表示される字幕文字情報は、視聴されている放送番組に対する視聴者の理解を補完するために有効である。通常、字幕文字情報は、その放送番組の内容を要約した短い文章となる。そのために、その字幕文字情報に含まれる単語は、その映像音声情報を適切に表すものが選択される。
【０００３】
字幕文字情報の中に出現する単語の出現頻度によって、その放送コンテンツの内容を適切に把握することもできる。この場合、最初に、字幕文字情報から形態素解析技術を用いて単語を抽出し、次に、その単語の出現頻度（例えばＴＦ−ＩＤＦ(Term Frequency(単語出現頻度) - Inverse Document Frequency(逆文書出現頻度))）に応じて重要キーワードを抽出する（例えば特許文献１参照）。抽出された重要キーワードが、視聴者に表示されることによって、映像音声情報の内容の理解が補完される。
【０００４】
ここで、「形態素解析」とは、文章を、意味のある単語に区切り、辞書を利用して品詞や内容を判別する技術をいう。「形態素」とは、文章の要素のうち、意味を持つ最小の単位を意味する。英語は、文章を、原則として単語ごとに区切って書くために、形態素毎に分割することは容易であるが、日本語では単語ごとに区切らず続けて書くために、形態素毎の分割が難しい。そのために、辞書用いて、複数の区切り方を試すこととなる。また、ＴＦ−ＩＤＦとは、各単語に重みを付けて、クエリから文書をベクトル空間で表し、文書とクエリの類似度でランク付けをする技術である。ランク付けられた値が高いほど、重要キーワードと認識される。
【０００５】
【特許文献１】特開２００８−０４８２９７号公報
【発明の開示】
【発明が解決しようとする課題】
【０００６】
しかしながら、前述した従来技術によれば、放送コンテンツの字幕文字情報における単語の出現頻度のみに基づいて重要キーワードを抽出するために、単語の時事性（ニュース性）については、全く考慮されていない。放送コンテンツの中で代表的なテレビ番組では、バラエティやドラマなど、新しい略語、造語又は流行語などのキーワードが用いられることがある。特に、時事性のあるキーワードほど、視聴者にとっては、耳慣れない場合も多くなる。以前にはほとんど使われていない単語が、近年様々なところで使われるようになった場合、その単語は、時事性が高く、視聴者が特に興味を持って知ろうとすると想定される。従来技術によれば、このような時事性の高い単語を、放送コンテンツの字幕文字情報から抽出することはできない。
【０００７】
また、放送コンテンツの字幕文字情報における単語の出現頻度のみに基づいて重要キーワードを抽出する場合、その番組の視聴中にリアルタイムに重要キーワードを表示することは極めて難しい。番組の前半では、全ての単語の出現回数が０であるからである。そのために、不必要な単語も抽出することとなる。
【０００８】
更に、視聴者としては、興味を持って知ろうとする時事性の高いキーワードについては、そのキーワードの意味及び関連情報を即時に知りたいと考えることもある。
【０００９】
更に、膨大な字幕文字情報の中から抽出した多数の単語を、ユーザに対して提示しても、ユーザは煩わしさを感じるだけであり、結局、利便性が低下してしまう。そうすると、ユーザに提示すべきキーワードは、その時事性及び信頼性の両観点から厳選されることが望ましい。
【００１０】
そこで、本発明は、放送コンテンツの字幕文字情報の中から、時事性・信頼性の高いキーワードを表示することによって、その映像音声情報に対する視聴者の理解を補完させることができる放送受信装置及びプログラムを提供することを目的とする。
【課題を解決するための手段】
【００１１】
本発明によれば、映像音声情報及び字幕文字情報を含む放送コンテンツを受信する放送受信手段と、該映像音声情報を視聴者に対して再生表示する映像音声再生手段と、字幕文字情報を視聴者に対して表示する字幕文字表示手段とを有する放送受信再生装置において、
時事性のあるキーワードを、時事キーワードとして予め蓄積する時事キーワード蓄積手段と、
視聴者が視聴する視聴放送コンテンツに含まれる字幕文字情報から、複数の視聴単語を抽出する視聴単語抽出手段と、
視聴単語抽出手段によって抽出された複数の視聴単語が、キーワード蓄積手段に含まれる時事キーワードと一致するか否かを判別し、一致した視聴単語を重要キーワードとして出力する重要キーワード判別手段と
を有することを特徴とする。
【００１２】
本発明の放送受信装置における他の実施形態によれば、
放送受信手段は、ニュース放送コンテンツを更に受信することができ、
ニュース放送コンテンツに含まれる字幕文字情報から、複数の時事キーワードを抽出し、該時事キーワードとその出現頻度及び出現日とを時事キーワード蓄積手段へ蓄積する時事キーワード抽出手段を更に有することも好ましい。
【００１３】
本発明の放送受信装置における他の実施形態によれば、
異なるニュース放送コンテンツについて、時事キーワード抽出手段によって抽出される時事キーワードの出現頻度から、当該時事キーワードの信頼性を判断するニュースソース信頼性判別手段を更に有することも好ましい。
【００１４】
本発明の放送受信装置における他の実施形態によれば、
重要キーワード判別手段は、単語iの重要度Ｐ(i)について、最近一定期間内に発生した当該時事キーワードの出現頻度を正に重み付け、それ以外の過去の期間に発生した当該時事キーワードの出現頻度を負に重み付けることも好ましい。
【００１５】
本発明の放送受信装置における他の実施形態によれば、
重要キーワード判別手段において、単語iの重要度Ｐ(i)が、以下の式によって算出される
ＩＤＦ(i)：過去に保存された重要キーワード候補を用いた単語iのＩＤＦ
(ＩＤＦ：Inverse Document Frequency)、
elapse：当該単語の過去出現日と今日との差分日、
period：抽出対象とする過去出現日と今日との差分日、
Ｎelapse：当該単語の過去出現日から経過日数に応じた重み付け、
freq(i)：その日のニュース放送コンテンツにおける単語iの出現回数、
Ｐ(i)＝ＩＤＦ(i)×Σperiodelapse=0(Ｎelapse×freq(i))
ことも好ましい。
【００１６】
本発明の放送受信装置における他の実施形態によれば、
字幕文字表示手段は、重要キーワードを表示し、
映像音声再生手段における映像音声情報の再生に同期して、字幕文字表示手段における重要キーワードの表示が実行される
ことも好ましい。
【００１７】
本発明の放送受信装置における他の実施形態によれば、
ＷＡＮインタフェース部を介して、広域通信ネットワークに接続する検索サーバへ重要キーワードをキーとして送信し、当該重要キーワードに基づく検索結果情報を取得するキーワード検索手段を更に有し、
字幕文字表示手段は、検索結果情報を更に表示する
ことも好ましい。
【００１８】
本発明の放送受信装置における他の実施形態によれば、
受信した放送コンテンツを蓄積するコンテンツ蓄積手段を更に有し、
コンテンツ蓄積手段は、重要キーワード検索手段から出力された重要キーワードをキーとして、蓄積された放送コンテンツの字幕文字情報を検索し、該当する放送コンテンツを映像音声再生手段へ出力することも好ましい。
【００１９】
本発明の放送受信装置における他の実施形態によれば、
映像音声再生手段及び字幕文字表示手段は、ＬＡＮインタフェース部を介して、ＬＡＮに接続する情報家電機器に対して、映像音声を再生し且つ重要キーワードを表示するように情報を送信することも好ましい。
【００２０】
本発明の放送受信装置における他の実施形態によれば、
放送受信装置は、視聴放送コンテンツを有線又は無線を介して受信するセットトップボックス、又は、チューナ内蔵型のレコーダ若しくはテレビであることも好ましい。
【００２１】
本発明によれば、放送受信再生装置に搭載されたコンピュータを機能させるプログラムであって、映像音声情報及び字幕文字情報を含む放送コンテンツを受信する放送受信手段と、該映像音声情報を視聴者に対して再生表示する映像音声再生手段と、字幕文字情報を視聴者に対して表示する字幕文字表示手段としてコンピュータを機能させるプログラムにおいて、
時事性のあるキーワードを、時事キーワードとして予め蓄積する時事キーワード蓄積手段と、
視聴者が視聴する視聴放送コンテンツに含まれる字幕文字情報から、複数の視聴単語を抽出する視聴単語抽出手段と、
視聴単語抽出手段によって抽出された複数の視聴単語が、キーワード蓄積手段に含まれる時事キーワードと一致するか否かを判別し、一致した視聴単語を重要キーワードとして出力する重要キーワード判別手段と
してコンピュータを機能させることを特徴とする。
【発明の効果】
【００２２】
本発明の放送受信装置及びプログラムによれば、放送コンテンツの字幕文字情報の中から、時事性・信頼性の高いキーワードを表示することによって、その映像音声情報に対する視聴者の理解を補完させることができる。
【発明を実施するための最良の形態】
【００２３】
以下では、図面を用いて、本発明を実施するための最良の形態について詳細に説明する。
【００２４】
図１は、本発明におけるシステム構成図である。
【００２５】
放送受信装置１は、放送局２から放送コンテンツを受信するセットトップボックス又は情報家電機器（チューナ内蔵型のレコーダ若しくはテレビ）である。放送コンテンツは、アンテナによって受信されるものであってもよいし、ＷＡＮ（広域通信ネットワーク、例えばインターネットやケーブルテレビ）を介して受信されるものであってもよい。また、放送受信装置１は、ＷＡＮを介して、少なくとも外部の検索サーバ４にアクセスすることができる。尚、放送受信装置１がＬＡＮ（ホームネットワーク）に接続される情報家電機器である場合、そのＬＡＮを介してルータを経由してＷＡＮに接続するものであってもよい。
【００２６】
「放送コンテンツ」は、デジタル放送番組であって、例えば、地上波デジタル放送、ワンセグ放送、ＢＳ(Broadcast Satellite)放送等である。これらデジタル放送番組は、基本的に、映像音声情報と共に字幕文字情報も含む。
【００２７】
図２は、本発明における放送受信装置の機能構成図である。
【００２８】
図２によれば、放送受信装置１は、放送コンテンツ受信部１０１と、ＷＡＮインタフェース部１０２と、ＬＡＮインタフェース部１０３とを有する。放送コンテンツ受信部１０１は、放送コンテンツを受信する。放送コンテンツには、映像音声情報と字幕文字情報とが多重化して含まれる。ＷＡＮインタフェース部１０２は、広域通信ネットワークに接続する。また、放送受信装置１が、セットトップボックスである場合、他の情報家電機器にホームネットワークを介して接続するために、ＬＡＮインタフェース部１０３を更に有する。
【００２９】
また、図２によれば、放送受信装置１は、メディア分離部１０４と、視聴単語抽出部１０５と、時事キーワード抽出部１０６と、時事キーワード蓄積部１０７と、重要キーワード判別部１０８と、重要キーワード検索部１０９と、映像音声再生部１１０と、字幕文字表示部１１１と、ニュースソース信頼性判別部１１２と、コンテンツ蓄積部１１３とを有する。これら機能構成部は、放送受信装置１に搭載されたコンピュータを機能させるプログラムを実行することによって実現される。
【００３０】
メディア分離部１０４は、放送コンテンツ受信部１０１から放送コンテンツを受信し、その放送コンテンツについて映像音声情報と字幕文字情報とに多重分離する。本発明によれば、放送コンテンツを、「視聴放送コンテンツ」と「ニュース放送コンテンツ」とに区分している。視聴放送コンテンツは、現時点で利用者が視聴している番組を意味し、ニュース放送コンテンツは、情報の信頼性があり且つ時事性のあるニュース番組を意味する。尚、視聴放送コンテンツは、その内容に限定されず、ドラマ、映画、ドキュメンタリ、クイズ番組等、任意の番組に適用できる。
【００３１】
ニュース放送コンテンツは、利用者が視聴放送コンテンツを視聴していないときに、受信されるものであってもよい。また、放送コンテンツ受信部１０１が、複数の放送コンテンツを同時受信可能（デュアルチューナ搭載装置）である場合、利用者が視聴放送コンテンツを視聴している際であっても、バックグラウンドでニュース放送コンテンツを受信することができる。
【００３２】
放送コンテンツがニュース放送コンテンツか否かを判断するために、例えばｉＥＰＧ(internet Electronic Program Guide)が用いられる。ｉＥＰＧは、インターネットを用いたテレビ番組録画予約方式である。これによって、現に放送されている放送番組のスケジュールを把握することができ、ニュース放送コンテンツを選択することができる。例えば、ニュース放送コンテンツとしては、ｉＥＰＧファイルに含まれるGenreに「News」が指定されている放送コンテンツ、又は、Titleにニュースが含まれている放送コンテンツが選択される。更に、ジャンルとしてはニュース番組に分類されても、時事キーワード抽出に適さない番組を取り除くため、後述のニュースソース信頼性判別部１１２が定期的に実行され、信頼性の高いニュースソースが選択される。
【００３３】
ｉＥＰＧから得られる情報は、例えば以下のようなものである。
【表１】
2010087658.tif 000003
【００３４】
また、番組ストリームに含まれるＰＳＩ／ＳＩ(Program Specific Information / Service Information)情報を用いることもできる。ＰＳＩ／ＳＩ情報のEvent Information Tableに含まれる番組の名称、ジャンル等によって、ニュース放送コンテンツであるか否かを判断することもできる。
【００３５】
そして、メディア分離部１０４は、映像音声情報を、映像音声再生部１１０へ出力し、視聴者によって現に視聴されている視聴放送コンテンツの字幕文字情報を、視聴単語抽出部１０５へ出力し、ニュース放送コンテンツの字幕文字情報を、時事キーワード抽出部１０６へ出力する。
【００３６】
時事キーワード抽出部１０６は、ニュース放送コンテンツの字幕文字情報から、複数の時事キーワードを抽出する。時事キーワードを、ニュース放送コンテンツから抽出することによって、情報の信頼性があり且つ時事性のあるキーワードを得ることができる。時事キーワード抽出部１０６は、既存の「形態素解析」技術が用いて単語毎に区分し、更に名詞・未知語のみを抽出する。
【００３７】
このようにして抽出された時事キーワードは、その出現頻度及び放送日が、時事キーワード蓄積部１０７へ出力される。しかしながら、例えばＰＳＩ／ＳＩ情報がニュース番組であっても、そのニュース放送コンテンツが必ずしも時事キーワードの抽出対象として相応しいと言えない場合がある。例えば、バラエティ色の強い単発の特集ニュース番組のような場合、その司会者の名前が、最も登場頻度が高い単語になって時事キーワードとして抽出されることがある。また、例えばドキュメンタリのような特集番組では、１つのトピックを掘り下げることが重視され、時事キーワードとしての重要性が正しく取得できないことがある。
【００３８】
このようなニュース放送コンテンツに基づいて時事キーワードを抽出し且つ蓄積した場合、重要キーワードの判別における精度が低下する。そこで、時事キーワードの抽出段階について、偏った時事キーワードが抽出されることを防ぐため、ニュースソース信頼性判別部１１２によって、時事キーワードの抽出には適さないニュース放送コンテンツを判別する。
【００３９】
ニュースソース信頼性判別部１１２は、例えば終日時点で、定期的に時事キーワードの抽出の対象とするニュースソースの信頼性を判別する。信頼性判別処理手順は、以下の通りである。
【００４０】
例えば、今日１日で、以下のニュース番組が、ＰＳＩ／ＳＩ情報のEvent Information
Tableに含まれる番組の名称から、ニュース番組と判別され、時事キーワードが抽出されたとする。
【００４１】
【表２】
2010087658.tif 000004
【００４２】
ここで、「面白お買い物ニュース」は、ニュース番組というよりは、バラエティ色の強い番組である。また、「ニュース特番、30年前のＸＸブームを特集する」は、特定のトピックを掘り下げた特集番組である。更に、その他は、時事性の高いニューストピックを紹介する一般的なニュース番組とする。
【００４３】
ニュースソース信頼性判別部１１２は、「普遍性・時事性のあるニュースのトピックは、その他のチャンネルでも放送されている可能性が高く、また、同一チャンネルのニュースでも、その日繰り返し報道（続報）される可能性が高い」というニューストピックの傾向に基づいて、そのニュース番組の信頼性パラメータを算出する。信頼性パラメータは、各ニュース番組から抽出された、出現頻度上位の単語の比較によって得られる。今、「モーニングニュース」の出現頻度上位ｎ件の単語それぞれに対して、「Ａチャンネル朝のニュース」の出現頻度上位ｍ件に入っているか否かを判別する。この判別が真ならば（上位ｍ件に入っていれば）、信頼性パラメータは正に重み付けられ、偽ならば（上位ｍ件に入っていなければ）、負に重み付けられる。この処理を、モーニングニュース以後のニュース番組ｌ件に対して実行し、信頼性パラメータの総和を算出する。
【００４４】
ここで、「面白お買い物ニュース」や、「ニュース特番『30年前の××ブームを特集する』」のような番組では、他と異なったキーワードが出現回数上位として判別される。そのため、その信頼性パラメータは、低く算出される。ニュースソース信頼性判別部１１２では、信頼性パラメータが低いと判別された番組を、時事キーワードの抽出対象から外すことで、時事キーワードの信頼性を高める。
【００４５】
前述の信頼性パラメータは、各番組プログラム単位で共通の値が用いられる。そのため、例えば毎週１回放送、毎日放送といった定期的に繰り返される番組プログラムについては、過去の番組の傾向から、その番組を時事キーワード抽出対象とするかを判別することができる。
【００４６】
時事キーワード蓄積部１０７は、時事キーワード抽出部１０６から出力された時事キーワードを蓄積すると共に、出現頻度及び放送日（最新出現日）も蓄積する。そして、時事キーワード蓄積部１０７は、その出現頻度及び最新出現日に応じた重要度の順に、当該キーワードを蓄積する。
【００４７】
視聴単語抽出部１０５は、視聴放送コンテンツに含まれる字幕文字情報から、複数の単語を抽出する。視聴単語抽出部１０５は、既存の「形態素解析」技術が用いて単語毎に区分し、更に名詞・未知語のみを抽出する。抽出された視聴単語は、重要キーワード判別部１０８へ出力される。
【００４８】
重要キーワード判別部１０８は、視聴単語抽出部１０５から出力された複数の視聴単語が、時事キーワード蓄積部１０７に含まれる時事キーワードと一致するか否かを判別する。一致する単語は、重要キーワードとして、字幕文字表示部１１１へ出力される。
【００４９】
重要キーワード検索部１０９は、ＷＡＮインタフェース部１０２を介して、広域通信ネットワークに接続する検索サーバ４へ重要キーワードをキーとして送信し、当該重要キーワードに基づく検索結果情報を取得する。重要キーワード検索部１０９は、利用者がその重要キーワードにおける検索結果情報を得たいときに、利用者の操作に応じて実行される。
【００５０】
映像音声再生部１１０は、メディア分離部１０４から出力された映像音声情報を、復号し且つ再生する。放送受信装置１が、映像情報を表示するディスプレイと、音声情報を再生するスピーカとを有する場合、映像音声再生部１１０は、このディスプレイ及びスピーカへ映像再生情報を出力する。また、映像音声再生部１１０は、ＬＡＮインタフェース部１０３を介して、ＬＡＮに接続する情報家電機器に対して、映像音声を再生するように情報を送信する。
【００５１】
字幕文字表示部１１１は、重要キーワード判別部１０８から出力された重要キーワードと、重要キーワード検索部１０９から出力された検索結果情報とを表示する。字幕文字表示部１１１は、映像音声再生部１１０における映像音声情報の再生に同期して、重要キーワード及び検索結果情報を表示する。また、字幕文字表示部１１１は、映像音声再生部１１０と同様に、ＬＡＮインタフェース部１０３を介して、ＬＡＮに接続する情報家電機器に対して、重要キーワード及び検索結果情報を表示するように情報を送信する。
【００５２】
コンテンツ蓄積部１１３は、受信した放送コンテンツを蓄積する。ここで、コンテンツ蓄積部１１３は、重要キーワード検索部１０９から出力された重要キーワードをキーとして、蓄積された放送コンテンツの字幕文字情報を検索し、該当する放送コンテンツを映像音声再生手段へ出力する。
【００５３】
図３は、ニュース放送コンテンツに対する時事キーワードの抽出及び蓄積を表す説明図である。
【００５４】
以下の字幕文字情報のニュース放送コンテンツが放送されたとする。
「日本ではいわゆるワーキングプアが大きな問題となっているほか、さらに格差が広がり続ければ子どもの教育環境にも差が生まれ、世代を越えて影響が出かねない。」
【００５５】
図３（ａ）によれば、最初に、ニュース放送コンテンツの字幕文字情報を、形態素解析によって区分する。次に、区分された単語毎に、最初に、助詞・接続詞の単語を取り除くと共に、名詞・未知語の単語を抽出する。重要キーワードの候補は、通常、全て名詞であると言える。また、形態素解析によって品詞を決定することができなかった、いわゆる「未知語」は、新しい用語である可能性が高いために、やはり重要キーワードの候補となる。
【００５６】
更に、抽出された名詞・未知語について、時事キーワード蓄積部１０７に蓄積された単語群とのＩＤＦを導出し、一般用語を取り除く。そして、ニュース放送コンテンツの中でその単語が繰り返された回数に基づいてＴＦを導出する。ＴＦが上位の単語は、時事キーワードとして決定する。
【００５７】
図３（ｂ）は、時事キーワード蓄積部１０７に蓄積された、時事キーワードと出現回数と放送日時とを表す。また、重要キーワード判別部１０８は、単語iの重要度Ｐ(i)について、最近一定期間内に発生した当該時事キーワードの出現頻度を正に重み付け、それ以外の過去の期間に発生した当該時事キーワードの出現頻度を負に重み付ける。また、出現回数と最新放送日時とに基づく単語iの重要度Ｐ(i)を、例えば以下の式によって算出する。
ＩＤＦ(i)：過去に保存された重要キーワード候補を用いた単語iのＩＤＦ
(ＩＤＦ：Inverse Document Frequency)、
elapse：当該単語の過去出現日と今日との差分日、
period：抽出対象とする過去出現日と今日との差分日、
Ｎelapse：当該単語の過去出現日から経過日数に応じた重み付け、
freq(i)：その日のニュース放送コンテンツにおける単語iの出現回数、
Ｐ(i)＝ＩＤＦ(i)×Σperiodelapse=0(Ｎelapse×freq(i))
【００５８】
図３（ｃ）は、重要度Ｐ(i)に基づくキーワードの順位付けを表す。例えば重要度Ｐが６０以上のキーワードは、時事キーワードであると想定できる。放送受信装置１が、日々更新されるニュース放送コンテンツを受信する毎に、時事キーワード蓄積部１０７に蓄積された時事キーワードは更新される。
【００５９】
時事キーワードを時事キーワード蓄積部１０７に蓄積するときは、例えば利用者が視聴放送コンテンツを視聴していない時間に自動的に実行されることが好ましい。また、放送コンテンツ受信部１０１が、複数の放送コンテンツを同時受信可能（デュアルチューナ搭載装置）である場合、利用者が視聴放送コンテンツを視聴している際に、バックグラウンドで時事キーワードが蓄積されるものであってもよい。更に、既に録画済みのニュース放送コンテンツに対して、時事キーワードが抽出されるものであってもよい。
【００６０】
図４は、視聴放送コンテンツに対する重要キーワードの抽出を表す説明図である。
【００６１】
以下の字幕文字情報の視聴放送コンテンツ（ドラマの台詞）が放送されたとする。
「同じ年だね。タメ口で行きましょう。こちら田中さん。格差社会とワーキングプアについて、フィールドワークで収集した豊富なデータで論じるので有名です。」
【００６２】
図４（ａ）は、図３（ａ）のニュース放送コンテンツと同様に、最初に、視聴放送コンテンツの字幕文字情報が、形態素解析によって区分された単語を表す。
【００６３】
次に、図４（ｂ）は、図４（ａ）の複数の視聴単語から、助詞・接続詞の単語が取り除かれると共に、抽出された名詞・未知語の単語を表す。
【００６４】
そして、図４（ｃ）によれば、抽出された名詞・未知語について、時事キーワード蓄積部１０７に蓄積された時事キーワードと一致した名詞・未知語のみを表す。ここでは、図３（ｂ）の時事キーワードと一致する「格差」「ワーキングプア」のみが、重要キーワードとして抽出される。
【００６５】
尚、図４（ｄ）は、抽出された名詞・未知語について、従来技術によって導出した単語を表す。従来技術によれば、「年」「口」のように、名詞の中でも一般用語を予め蓄積した辞書登録部を有する。その辞書登録部と一致する単語は、一般用語として取り除く。図４（ｄ）によれば、本発明の図４（ｃ）と比較して、多くの単語が抽出されていると共に、最近どの語が話題になっているかといった時事性（ニュース性）のある重要キーワードのみを抽出できていない。
【００６６】
図５は、視聴中における重要キーワードの表示を表す画面表示図である。
【００６７】
図５（ａ）は、視聴者が字幕文字情報を表示させている場合である。字幕文字の中で、重要キーワードと判別された単語はマークアップされる。
【００６８】
図５（ｂ）は、視聴者が重要キーワードの一覧を表示させている場合である。番組視聴中に表示される重要キーワードリストは、視聴放送コンテンツの字幕文字情報に応じてリアルタイムに変化していく。
【００６９】
図５（ａ）及び図５（ｂ）によって表示された重要キーワードは、視聴者の操作によって選択可能となっている。視聴者の操作によってその重要キーワードが選択された場合、放送受信装置は、自動的にＷＡＮを介して検索サーバにアクセスする。そして、その重要キーワードをキーとする検索結果情報が得られる。
【００７０】
図６は、重要キーワードの検索結果情報が表示された画面表示図である。
【００７１】
図６によれば、図５で視聴者によって選択された重要キーワード「ワーキングプア」における検索結果情報が、表示されている。ここでは、「ワーキングプア」の解説情報が表示されている。これによって、利用者は、視聴中に、その番組の内容の理解を補完する情報を得ることができる。
【００７２】
更に、重要キーワードから、放送受信装置内に蓄積されたニュース番組をユーザに提示することもできる。例えば、利用者が、「ワーキングプア」という単語に関するニュース番組を見たい場合、重要キーワード検索部は、放送受信装置が備えるＨＤＤ等の蓄積媒体に保存されたニュース放送コンテンツのＥＰＧ情報・メタデータ・字幕文字情報等に対して、「ワーキングプア」という単語で検索を実行し、該当する単語と関連性の深いニュース番組を選択し、ユーザに提示する。これにより、ユーザは、ＨＤＤに蓄えられた膨大な番組データの中から、「ちょっと調べたいな」という用語に関連するニュース番組を、瞬時に選択し、見ることができる。
【００７３】
以上、詳細に説明したように、本発明の放送受信装置及びプログラムによれば、放送コンテンツの字幕文字情報の中から、時事性（ニュース性）の高いキーワードを表示することによって、その映像音声情報に対する視聴者の理解を補完させることができる。
【００７４】
特に、視聴放送コンテンツの字幕文字情報の単語と比較するキーワードを、ニュース放送コンテンツの字幕文字情報から得ることによって、また、そのニュース放送コンテンツの信頼性を他のニューストピックと比較することによって、以下の効果が得られる。
（１）信頼性の高い情報が得られる。
（２）定期的に更新され、時事性の高い情報が得られる。
（３）専用サーバを備える必要がなく、テレビ放送の配信のフレームワークの中で取得することができ、低コストにシステムを構築することができる。
【００７５】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００７６】
【図１】本発明におけるシステム構成図である。
【図２】本発明における放送受信装置の機能構成図である。
【図３】ニュース放送コンテンツに対する時事キーワードの抽出及び蓄積を表す説明図である。
【図４】視聴放送コンテンツに対する重要キーワードの抽出を表す説明図である。
【図５】視聴中における重要キーワードの表示を表す画面表示図である。
【図６】重要キーワードの検索結果情報が表示された画面表示図である。
【符号の説明】
【００７７】
１  放送受信装置
１０１  放送コンテンツ受信部
１０２  ＷＡＮインタフェース部
１０３  ＬＡＮインタフェース部
１０４  メディア分離部
１０５  視聴単語抽出部
１０６  時事キーワード抽出部
１０７  時事キーワード蓄積部
１０８  重要キーワード判別部
１０９  重要キーワード検索部
１１０  映像音声再生部
１１１  字幕文字表示部
１１２  ニュースソース信頼性判別部
１１３  コンテンツ蓄積部
２  放送局
３  情報家電機器
４  検索サーバ
５  ＬＡＮ
６  ＷＡＮ、広域通信ネットワーク
【図１】
2010087658.tif 000005
【図２】
2010087658.tif 000006
【図３】
2010087658.tif 000007
【図４】
2010087658.tif 000008
【図５】
2010087658.tif 000009
【図６】
2010087658.tif 000010